(57)【要約】  エアー溜まりの発生および流体の滞留を防止し、分岐部位およびその周辺の清浄度を適正に維持可能であり、洗浄液による洗浄効果を向上し、キャップの装着忘れも監視可能な分岐ポートを提供する。  流体流入路および流体流出路を含む主流路と分岐流路とを有するハウジングと、ハウジングに着脱可能に装着されるキャップと、キャップが装着された際、またはキャップが外されて流体が流通可能な流体流通手段が装着された際に主流路と分岐流路との間の遮断を解除する弁体と、を備えた分岐ポートであって、キャップを装着した際に、流体流入路から分岐して分岐流路と連通するバイパス路が形成され、キャップを外した際に、流体流入路からバイパス路への分岐部からハウジング外への流体の漏出を遮断する開閉弁を設けたことを特徴とする分岐ポート。
2013061876.tif 000002
【特許請求の範囲】
【請求項１】
流体流入路および流体流出路を含む主流路並びに該主流路から分岐し一端が開口端に形成された分岐流路を有するハウジングと、前記ハウジングに着脱可能に装着され前記分岐流路の開口端部外周を覆うキャップと、前記分岐流路を前記主流路から遮断するように付勢されて設けられ、前記キャップが前記ハウジングに装着された際、または前記キャップが前記ハウジングから外されて前記分岐流路の開口端部に流体が流通可能な流体流通手段が装着された際に前記主流路と前記分岐流路との間の遮断を解除する弁体と、を備えた、配管の途中に取り付けられて該配管の流路を分岐するための分岐ポートであって、
前記キャップを前記ハウジングに装着した際に、前記流体流入路から分岐して前記分岐流路と連通するバイパス路が形成され、
前記キャップを前記ハウジングから外した際に、前記流体流入路から前記バイパス路への分岐部から前記ハウジング外への流体の漏出を遮断する開閉弁を、前記ハウジングの内部に設けたことを特徴とする分岐ポート。
【請求項２】
前記流体流入路に、流路断面積が狭められた絞り部が設けられ、前記分岐部が前記流体流入路の前記絞り部の上流側の位置に設けられている、請求項１に記載の分岐ポート。
【請求項３】
前記流体流入路に、流路断面積が狭められた絞り部が設けられ、前記分岐部が前記絞り部の領域内の位置に設けられている、請求項１に記載の分岐ポート。
【請求項４】
前記弁体の変位量によって、前記キャップの着脱状態または／および前記流体流通手段の装脱着状態を検知する検知手段を有する、請求項１〜３のいずれかに記載の分岐ポート。
【請求項５】
前記ハウジングおよび前記キャップの一方に凸部が、他方に凹部がそれぞれ設けられており、前記キャップが前記ハウジングに装着された際に、前記凸部と前記凹部が嵌合することにより前記キャップの位置決めが行われる、請求項１〜４のいずれかに記載の分岐ポート。
【請求項６】
サンプリング装置のサンプリングポートとして用いられる、請求項１〜５のいずれかに記載の分岐ポート。
【請求項７】
排液ポートとして用いられる、請求項１〜５のいずれかに記載の分岐ポート。
【発明の詳細な説明】
【技術分野】
【０００１】
本発明は、分岐ポートに関するものであり、より詳しくは分岐部位の汚染防止が実現された分岐ポートに関する。
【背景技術】
【０００２】
一般に、透析液やＲＯ水など、適正な組成および安全な清浄度の維持が要求される液体を扱うシステムにおいては、検査や分析のため頻繁に液体の抜き取り作業（サンプリング）を行う必要がある。このようなサンプリングを実施する方法として、例えば、特許文献１には、主配管から分岐した取水管および復水管にバルブを設け、この取水管および復水管にサンプリング管を接続することにより、主配管を流れる流体の一部を適宜サンプリングする技術が開示されている。【０００３】
また、特許文献２には、サンプルポートの装着部材に内蔵された弾性体に注射針を突き刺すことにより、透析液等を採取する方法が記載されている。【０００４】
しかしながら、清浄化に対する要求が高まるとともに、注射針を刺した痕跡部での菌の繁殖、サンプリング流路におけるエアー溜まりの発生や液体の滞留、サンプリング手技に伴うサンプリング部位（液体を吸い取るシリンジ等を差し込む部分およびその周辺）の汚染などが問題視されるようになった。【０００５】
そこで、注射針を用いることなくサンプリングが行うことができ、サンプリングを行わない時には着脱可能なキャップでサンプリング部位の汚染を防止するとともに、サンプリング部位周辺を液体に浸すことで菌の繁殖をも抑えることが可能な「サンプリングポート」が開示されている（例えば、特許文献３および特許文献４）。
【先行技術文献】
【特許文献】
【０００６】
【特許文献１】特開平７−１２８２０４号公報
【特許文献２】特開平１１−１６９４５６号公報
【特許文献３】特許４３５２３６８号
【特許文献４】特開２００９−２０７７０６号公報
【発明の概要】
【発明が解決しようとする課題】
【０００７】
しかしながら、上記のような特許文献３、４あるいは同種のサンプリングポートにおいては、サンプリング部位の清浄化のために、サンプリングを行わない場合には、主流路からサンプリング部位およびその周辺を通過して再び主流路に戻すという循環流を形成することとしているが、サンプリング流路が細く、サンプリング部位とその周辺の流路の形状も複雑になることから、主流路からサンプリング流路へは液体が流れ込みにくくなるおそれがあり、清浄化のために、主流路からサンプリング流路へ流入し主流路へ戻る停滞しない望ましい循環流を得ることは困難であった。【０００８】
また、サンプリング流路における液体の流れは、液体の流量、サンプリングポート自体の設置条件や取付け姿勢（上向き・横向き・下向き等）、流体の圧力変動等の影響を受けやすく、サンプリング流路における安定で確実な流れを確保することが難しかった。【０００９】
そこで本発明の課題は、キャップ内部におけるエアー溜まりの発生および流体の滞留が防止され、分岐部位およびその周辺の清浄度を適正に維持可能であり、洗浄液を通液させた場合の洗浄効果が向上され、キャップの装着忘れ等も監視可能な分岐ポートを提供することにある。
【課題を解決するための手段】
【００１０】
上記課題を解決するために、本発明に係る分岐ポートは、流体流入路および流体流出路を含む主流路並びに該主流路から分岐し一端が開口端に形成された分岐流路を有するハウジングと、前記ハウジングに着脱可能に装着され前記分岐流路の開口端部外周を覆うキャップと、前記分岐流路を前記主流路から遮断するように付勢されて設けられ、前記キャップが前記ハウジングに装着された際、または前記キャップが前記ハウジングから外されて前記分岐流路の開口端部に流体が流通可能な流体流通手段が装着された際に前記主流路と前記分岐流路との間の遮断を解除する弁体と、を備えた、配管の途中に取り付けられて該配管を分岐するための分岐ポートであって、
前記キャップを前記ハウジングに装着した際に、前記流体流入路から分岐して前記分岐流路と連通するバイパス路が形成され、
前記キャップを前記ハウジングから外した際に、前記流体流入路から前記バイパス路への分岐部から前記ハウジング外への流体の漏出を遮断する開閉弁を、前記ハウジングの内部に設けたことを特徴とするものからなる。【００１１】
本発明に係る分岐ポートにおいて、ハウジングにキャップが装着されている場合、分岐ポートに備えられた弁体により主流路と分岐流路との間の遮断が解除されるとともに、流体流入路から分岐して分岐流路と連通するバイパス路が形成され、バイパス路への分岐部からの流れは開閉弁によっては遮断されていない状態にあるので、主流路の流体流入路に設けられた分岐部からバイパス路へと分岐し、分岐流路を経由して主流路へ戻る副流路が形成されることになり、この副流路内に流体の流れが発生する状態が継続的に現出される。この流れにより、バイパス路および分岐流路における流体の滞留やエアー溜まりの発生が防止されることとなり、菌の繁殖および流体内の成分の堆積が抑制され、流路内の清浄度が適正に高く維持される。また、キャップの装着により分岐流路の汚染も防止される。【００１２】
一方、キャップがハウジングから取り外された場合は、分岐流路を主流路から遮断するように付勢されて設けられた弁体により分岐流路が遮断されるとともに、開閉弁により分岐部からハウジング外への流体の漏出が遮断されるので、主流路を流れる流体の溢出が防止される。そして、分岐流路の開口端部に流体が流通可能な流体流通手段（例えば、サンプリング手段など）が装着されると、弁体による分岐流路の遮断が解除され、主流路を流れる流体の一部が分岐流路を経由して流体分岐手段へ流入し、流体の一部が主流路から分岐される。流路分岐作業の終了後、流体流通手段を分岐流路の開口端部から取り外すと、付勢されている弁体により分岐流路が主流路から再び遮断され、流体の溢出が防止される。また、この流体流通手段の脱着作業の間、キャップはハウジングから外された状態にあり、開閉弁によるバイパス路の遮断は維持されているので、主流路を流れる流体がハウジング外へ漏出することはない。したがって、本発明に係る分岐ポートによれば、通常はハウジングにキャップを装着して分岐流路内に流体が流れるようにしておくことにより分岐流路の清浄度を維持することができ、流路を分岐するために一時的にキャップが取り外された場合においても、分岐ポートからの流体の溢出が防止され、流路分岐作業を円滑かつ迅速に行うことができる。【００１３】
さらに、本発明に係る分岐ポートは、通常運転時だけではなく、分岐ポートを含む流体処理システム全体に洗浄液を流通させて洗浄を行う場合にも効果を発揮する。すなわち、分岐ポートのハウジングにキャップが装着された状態にて上述の洗浄工程を行うことにより、主流路を流れる洗浄液の一部が分岐流路およびバイパス路からなる副流路へ流入し、分岐流路、キャップ内部およびバイパス路の洗浄が適切に行われる。その結果、分岐流路の洗浄作業の効率化および容易化が実現され、洗浄時間の短縮および清浄度の向上が図られる。洗浄液に代えて消毒液を流通させ、流体処理システム全体の消毒を行う場合にも、同様の効果が発揮される。【００１４】
上記分岐ポートにおいては、流路断面積が狭められた絞り部が流体流入路に設けられ、分岐部が流体流入路の絞り部の上流側の位置に設けられている構成を採用することができる。このような構成によれば、分岐部よりも下流側に位置する絞り部による流れ抵抗の増大により、分岐部からバイパス路への分岐が行われやすくなり、分岐された流体の流れがより促進されるため、たとえ分岐流路が細く複雑な形状に形成されている場合であっても、分岐部からバイパス路および分岐流路を経由して主流路へ戻る流路には確実に流体の流れが発生し、この流路における流体の滞留やエアー溜まりの発生が効果的に防止される。【００１５】
また、上記分岐ポートにおいては、流路断面積が狭められた絞り部が流体流入路に設けられ、分岐部が絞り部の領域内の位置に設けられている構成を採用することもできる。このような構成によれば、絞り部の領域内における流れ抵抗の増大、さらには、それに伴う流路内圧力上昇により、分岐部からバイパス路への分岐が行われやすくなり、分岐された流体の流れがより促進されるため、たとえ分岐流路が細く複雑な形状に形成されている場合であっても、分岐部からバイパス路および分岐流路を経由して主流路へ戻る流路には確実に流体の流れが発生し、この流路における流体の滞留やエアー溜まりの発生が効果的に防止される。【００１６】
上述のような、流体流入路に絞り部が設けられたことにより生じる流れ抵抗の増大は、流路内を流れる流体の圧力が低い場合にも相対的に発生するため、流体の流量や圧力の変動等による影響を受けにくく、装置の設置条件や運転条件の変化に影響されない安定した通液が実現可能となる。また、補助動力源などを用いることなく簡素な構造にて分岐流路における安定した通液が実現されるため、分岐ポートの大型化、複雑化を避けることができ、製造コストの上昇が抑制される。【００１７】
さらに、上記分岐ポートにおいては、弁体の変位量によって、キャップの着脱状態または／および流体流通手段の装脱着状態を検知する検知手段を有する構造を採用することが好ましい。分岐ポートにキャップが装着されていないと、分岐流路が設けられた分岐部位が大気にさらされ、しかもバイパス路から流入する流体による分岐流路の洗浄がなされなくなるため、分岐部位が汚染される可能性がある状態で分岐ポートが放置されるおそれが生じる。キャップの着脱状態等を検知可能な検知手段を設け、キャップの装着忘れを監視することにより、このような分岐部位における汚染の可能性が未然に防止され、分岐流路の清浄度の維持がより確実に達成される。このような弁体の変位量の検知手段としては、例えば、光学的センサ、リミットスイッチ、リードスイッチ等が挙げられる。【００１８】
上記分岐ポートにおいては、ハウジングおよびキャップの一方に凸部が、他方に凹部がそれぞれ設けられ、キャップがハウジングに装着された際に、凸部と凹部が嵌合することによりキャップの位置決めが行われることが好ましい。このような凸部および凹部からなる嵌合機構を設けることにより、キャップの緩みを未然に防ぎ、キャップの確実な装着を図ることができる。ここで、凸部および凹部の設置形態はとくに限定されず、例えば、ハウジングに凸部が設けられ、キャップに凹部が設けられている形態であってもよいし、その逆であってもよい。また、凸部および凹部の数はとくに限定されず、凸部および／または凹部が複数設けられていてもよい。【００１９】
上述の流体流通手段は分岐流路の開口端部に装着可能であればよく、その形態はとくに限定されない。例えば、本発明における流体流通手段は、貯留部を有し、分岐流路から当該貯留部へ流体を流通させつつ流体を採取するサンプリング手段（例えば、シリンジなど）であってもよいし、分岐流路と他の機器とを連通する連通手段（例えば、配管など）であってもよい。なお、流体流通手段の装着時における流体の流れ方向は、流体流通手段内の圧力と分岐ポート内の圧力との圧力差によって決まり、いずれの方向であってもよい。また、流体流通手段内の圧力と分岐ポート内の圧力とが均衡し、流体が流体流通手段内に停留する場合もある（例えば、サンプリング完了時など）。【００２０】
本発明の分岐ポートは、高い清浄度が要求される透析システムに用いられるサンプリング装置のサンプリングポートとして好適なものである。本発明の分岐ポートは、分岐部位およびその周辺の清浄度を適正に維持可能であり、キャップの装着忘れ等も監視可能であることから、サンプリング作業における誤操作や汚染を防止しつつ、サンプルを確実に採取することができる。【００２１】
また、本発明の分岐ポートは、定期的な洗浄が必要とされる排液ポートとして好適なものである。本発明の分岐ポートは分岐流路の洗浄および消毒が容易であるため、排液ポートとして用いることにより、洗浄作業の容易化および洗浄時間の短縮を実現することができる。
【発明の効果】
【００２２】
本発明に係る分岐ポートによれば、ハウジングにキャップが装着されることにより分岐流路およびバイパス路からなる副流路が形成され、分岐流路内に流体流入路から分岐された流体の流れが発生するので、流体流通手段が装着されていない場合においても、キャップの装着により分岐流路におけるエアー溜まりの発生や流体の滞留、外気への接触が防止され、分岐流路の清浄度が適正に維持される。また、流体流入路に絞り部を設けることにより、装置の設置条件や運転条件の変化による影響の少ない安定的な流体の流れが分岐流路内に確保され、設置自由度および動作安定性に優れた分岐ポートが実現される。さらに、キャップの着脱状態または／および流体流通手段の装脱着状態を検知する検知手段を設け、キャップの装着忘れを監視することにより、分岐流路の清浄度の維持がより確実に達成される。
【図面の簡単な説明】
【００２３】
【図１】本発明の一実施態様に係る分岐ポートの各動作時の縦断面図である。
【図２】本発明の他の実施態様に係る分岐ポートの縦断面図である。
【図３】本発明のさらに他の実施態様に係る分岐ポートの縦断面図である。
【図４】嵌合機構を有する分岐ポートのハウジングおよびキャップを示す参考図であり、（Ａ）はハウジングの上面図、（Ｂ）はハウジングの側面図、（Ｃ）はキャップの上面図、（Ｄ）はキャップの側面図、（Ｅ）はキャップの底面図である。
【図５】図４のハウジングおよびキャップからなる分岐ポートを示す参考図であり、（Ａ）は上面図、（Ｂ）は側面図、（Ｃ）は（Ａ）の線Ａ−Ａ’に沿った縦断面図である。
【発明を実施するための形態】
【００２４】
以下に、発明の望ましい実施の形態について、図面を参照しながら説明する。
図１は、本発明の一実施態様に係る分岐ポート１を示しており、（Ａ）は分岐ポート１のハウジング２にキャップ２０が装着された状態、（Ｂ）は分岐ポート１のハウジング２からキャップ２０が取り外された状態、（Ｃ）は分岐ポート１に設けられた分岐流路６の開口端部７に、流体流通手段としてシリンジ３０が装着された状態を、それぞれ示している。図１（Ａ）において、分岐ポート１のハウジング２にはキャップ２０が装着されてハウジング２とキャップ２０との間に空間２１が形成されており、キャップ２０に備えられたシール材としてのＯリング２２がハウジング２に圧接されることにより、キャップ２０のシール性が確保されている。ハウジング２は、流体流入路３および流体流出路４を含む主流路５と、主流路５から分岐し一端が開口端に形成された分岐流路６と、主流路に設けられた分岐部８より分岐し一端が開口端に形成されたバイパス路９とを有しており、分岐流路６の開口端部７およびバイパス路９の開口端はいずれもキャップ２０内の空間２１に連通している。バイパス路９内には、ばね１０によってバイパス路９を遮蔽する方向に付勢された開閉弁１１が備えられており、ハウジング２に装着されたキャップ２０によって開閉弁１１が押圧されることにより、ばね１０の付勢に抗してバイパス路９の遮蔽が解除されている。
【００２５】
分岐流路６の主流路側端部１２は主流路５内に突出する形状に形成されており、主流路５内において、分岐流路６の主流路側端部１２の周囲には、流体流入路３と流体流出路４とを連通する環状流路１３が形成されている。また、主流路５には、分岐流路６の主流路側端部１２を開閉可能な弁体１４が主流路側端部１２に対向して設けられており、弁体１４は、ばね１５により弁体受け１６を介して主流路側端部１２に向けて付勢されている。なお、流体流入路３、流体流出路４および環状流路１３は弁体１４により閉塞されることはないので、弁体１４により分岐流路６の主流路側端部１２が閉塞された状態においても、流体流入路３を流れる流体は、分岐流路６の周囲を迂回する環状流路１３を経由して流体流出路４へ流入することが可能である。
【００２６】
分岐流路６内には、押し棒１７が、分岐流路６の内周壁面に沿って摺動自在に収納されており、押し棒１７の主流路側端部は弁体１４と当接している。押し棒１７の横断面形状は略十字形状に形成されており、分岐流路６内には押し棒１７により４本の通路が画成されている。なお、押し棒１７の形状は上記のみに限定されるものではなく、押し棒１７が分岐流路６内に収納された状態にて流体が分岐流路６内を通過可能であればよい。
【００２７】
キャップ２０にはピン２３が設けられており、キャップ２０がハウジング２に装着されると、ピン２３により押圧された押し棒１７がばね１５による付勢に抗して弁体１４および弁体受け１６を押し込むことにより、分岐流路６の遮断が解除され、分岐流路６が主流路５に連通された状態となる。従って、図１（Ａ）に示すように、キャップ２０がハウジング２に装着されている状態においては、弁体１４による分岐流路６の主流路５からの遮断および開閉弁１１によるバイパス路９の遮断が両方とも解除され、流体流入路３に設けられた分岐部８からバイパス路９、キャップ２０内の空間２１および分岐流路６を経由して主流路５内の環状流路１３へ戻る副流路が形成される。
【００２８】
図１（Ａ）に示すように、キャップ２０がハウジング２に装着され分岐流路６およびバイパス路９の遮断が解除されている場合、流体流入路３へ流入した流体の大部分は、流体流入路３から直接環状流路１３を経由して流体流出路４へ流入し、残りの部分は、流体流入路３に設けられた分岐部８よりバイパス路９へ分岐した後、キャップ２０内の空間２１を経由して分岐流路６を流れ、主流路５内の環状流路１３へ到達して元の流体と合流する。このように分岐流路６、キャップ２０内の空間２１およびバイパス路９における流体の流れが確保されることにより、これらの流路における菌の繁殖や流体内の成分の堆積等が抑制され、流路内の清浄度が適正に高く維持される。
【００２９】
分岐ポート１は、弁体受け１６の変位に基づいて弁体１４の変位を検知する検知手段としての光学的センサ１８を有している。このような光学的センサによれば、弁体１４の変位量によってキャップ２０の着脱状態およびシリンジ３０の装脱着状態を検知することができるため、キャップ２０の装着忘れを監視することができ、分岐流路６の清浄度の維持がより確実に達成される。なお、弁体１４の変位を検知する検知手段は上記のみに限定されるものではなく、リミットスイッチやリードスイッチ等の種々の検知手段を適宜採用することができる。
【００３０】
流路を分岐させる場合、例えば、流体のサンプリングを行う場合には、キャップ２０をハウジング２より脱着した後、流体流通手段としてのシリンジ３０を分岐流路６の開口端部７に装着し、分岐流路６内の流体を採取する。なお、図１（Ｃ）では流体流通手段としてシリンジ３０が例示されているが、本発明はこれに限定されるものではない。まず、キャップ２０がハウジング２から脱着され、ピン２３による押し棒１７の押圧が解除されると、図１（Ｂ）に示すように、ばね１５の作用により弁体受け１６を介して弁体１４が分岐流路６の主流路側端部１２へ向けて押圧され、弁体１４により分岐流路６の主流路側端部１２が閉止される。この閉止により、分岐流路６が主流路５から遮断され、分岐流路６の開口端部７からの流体の溢出が防止される。同時に、ばね１０により付勢された開閉弁１１がバイパス路９を遮蔽し、分岐部８からハウジング２外への流体の流出も防止される。また、弁体１４の変位を検知する光学的センサ１８によってキャップ２０の取り外しが検知される。一方、上述のとおり、流体流入路３と流体流出路４との連通は環状流路１３により確保されているので、キャップ２０が取り外され分岐流路６およびバイパス路９が主流路５から遮断された状態においても、流体流入路３から流体流出路４への流体の流れは継続される。
【００３１】
次いで、図１（Ｃ）に示すように、シリンジ３０が分岐流路６の開口端部７に装着され、装着とともにあるいは装着後に、シリンジ３０を押圧することにより、押し棒１７が押圧されると、弁体１４および弁体受け１６がばね１５の付勢に抗して押し込まれ、弁体１４による分岐流路６の遮断が解除される。その結果、主流路５を流れる流体の一部が主流路側端部１２より分岐流路６へ流入し、シリンジ３０内へ流体が収容されるとともに、弁体１４の変位を検知する光学的センサ１８によってシリンジ３０の装着が検知される。このとき、キャップ２０はハウジング２から外された状態にあり、開閉弁１１によるバイパス路９の遮蔽は維持されるため、流体流入路３の分岐部８からハウジング２外へ流体が流出することはない。
【００３２】
流体の採取が終了し、シリンジ３０が除去されると、図１（Ｂ）に示すように、ばね１５の作用により弁体受け１６を介して弁体１４が分岐流路６の主流路側端部１２へ向けて押し込まれる。その結果、分岐流路６が再び主流路５から遮断され、開口端部７からの流体の溢出が防止され、光学的センサ１８によってシリンジ３０の取り外しが検知される。
【００３３】
そして、キャップ２０がハウジング２に装着されると、図１（Ａ）に示すように、ピン２３により押圧された押し棒１７がばね１５による付勢に抗して弁体１４を押し込み、分岐流路６の遮断が解除されるとともに、キャップ２０によって開閉弁１１が押圧されることによりバイパス路９の遮蔽が解除され、光学的センサ１８によってキャップ２０の装着が検知される。その結果、流体流入路３に設けられた分岐部８からバイパス路９、キャップ２０内の空間２１および分岐流路６を経由して主流路５内の環状流路１３へ戻る副流路が再び形成され、これらの流路内において流体の流れが発生することにより流体の滞留やエアー溜まりの発生が防止され、流路内の清浄度が適正に高く維持される。
【００３４】
なお、分岐ポート１の構成は、分岐ポート１を含む流体処理システムに流体の代わりに洗浄液を流通させ、流体処理システム全体を洗浄する場合にも効果を発揮する。すなわち、分岐ポート１のハウジング２にキャップ２０が装着された状態にて上記の洗浄工程を行うことにより、主流路５を流れる洗浄液の一部が分岐部８からバイパス路９およびキャップ２０内の空間２１を経由して分岐流路６へ流入し、主流路５だけでなく、分岐流路６、キャップ２０内の空間２１およびバイパス路９にも洗浄液の流れが生じる。その結果、分岐流路６の洗浄作業が迅速かつ効果的に行われ、洗浄時間の短縮および清浄度の向上が図られる。洗浄液に代えて消毒液を流通させ、流体処理システム全体の消毒を行う場合にも、同様の効果が発揮される。
【００３５】
図２は、本発明の他の実施態様に係る分岐ポート１００を示しており、とくに、流路断面積が狭められた絞り部１０１が流体流入路３に設けられ、分岐部１０２が絞り部１０１の上流側の位置に設けられた例を示している。なお、分岐ポート１００の他の構成は図１に示した分岐ポート１の構成と同様であるため、図１と同一の符号を付すことにより説明を省略する。
【００３６】
図２の分岐ポート１００においては、分岐部１０２が絞り部１０１の上流側の位置に設けられているので、分岐部１０２の下流側に位置する絞り部１０１の流れ抵抗の増大により、分岐部１０２からバイパス路９への分岐が行われやすくなり、分岐された流体の流れがより促進される。その結果、流体流入路３の分岐部１０２からバイパス路９、キャップ２０内の空間２１および分岐流路６を経由して環状流路１３に至る副流路には確実に流体の流れが発生し、この流路における流体の滞留やエアー溜まりの発生がより効果的に防止される。
【００３７】
図３は、本発明のさらに他の実施態様に係る分岐ポート２００を示しており、とくに、流路断面積が狭められた絞り部２０１が流体流入路３に設けられ、分岐部２０２が絞り部２０１の領域内の位置に設けられた例を示している。なお、分岐ポート２００の他の構成は図１に示した分岐ポート１の構成と同様であるため、図１と同一の符号を付すことにより説明を省略する。
【００３８】
図３の分岐ポート２００においては、分岐部２０２が絞り部２０１の領域内の位置に設けられているので、絞り部２０１の領域内における流れ抵抗の増大により、分岐部２０２からバイパス路９への分岐が行われやすくなり、分岐された流体の流れがより促進される。その結果、流体流入路３の分岐部２０２からバイパス路９、キャップ２０内の空間２１および分岐流路６を経由して環状流路１３に至る副流路には確実に流体の流れが発生し、この流路における流体の滞留やエアー溜まりの発生がより効果的に防止される。
【００３９】
図４および図５は、凸部および凹部からなる嵌合機構を有する分岐ポートを示す参考図であり、とくに、凸部４０を有するハウジング３０２と、凹部４１を有するキャップ３２０とを備えた分岐ポート３００を示している。図４は、分岐ポート３００のハウジング３０２およびキャップ３２０を示しており、（Ａ）はハウジング３０２の上面図を、（Ｂ）はハウジング３０２の側面図を、（Ｃ）はキャップ３２０の上面図を、（Ｄ）はキャップ３２０の側面図を、（Ｅ）はキャップ３２０の底面図を、それぞれ表している。図４に示すように、キャップ３２０の上端には環状部３２４が設けられており、キャップ３２０の内側には、ピン２３および２つの凹部４１が設けられている。一方、ハウジング３０２の上部には凸部４０が設けられており、キャップ３２０がハウジング３０２に装着されると、２つの凹部４１のうちいずれか一方が凸部４０と嵌合する。このように、凸部の数と凹部の数は必ずしも同一でなくてもよいし、凸部および／または凹部が複数設けられていてもよい。また、ハウジングに凹部が設けられ、キャップに凸部が設けられた態様を採用することも可能である。
【００４０】
図５は、キャップ３２０がハウジング３０２に装着された状態の分岐ポート３００を示しており、（Ａ）は分岐ポート３００の上面図を、（Ｂ）は分岐ポート３００の正面図を、（Ｃ）は（Ａ）の線Ａ−Ａ’に沿った縦断面図を、それぞれ示している。分岐ポート３００のハウジング３０２には、流体流入路３から分岐し一端が開口端に形成されたバイパス路９が設けられており、バイパス路９内には、ばね１０によってバイパス路９を遮蔽する方向に付勢された開閉弁１１が備えられている。なお、図１に示した分岐ポート１００と同様の構成については、図１と同一の符号を付すことにより説明を省略する。
【００４１】
図５（Ｃ）に示すように、凸部４０は、バイパス路９からの流体の漏出を防止する開閉弁１１の上端部として構成されており、キャップ３２０がハウジング３０２に装着されると、２つの凹部４１のうち一方が凸部４０と嵌合するとともに、凹部４１によって開閉弁１１がバイパス路９内へ押し込まれ、バイパス路９の遮断が解除される。
【００４２】
凸部４０を有する開閉弁１１はばね１０によって付勢されているので、凹部４１と凸部４０とが嵌合すると、ばね１０の弾性力により凸部４０が凹部４１側へわずかに移動する。その結果、嵌合時に凸部４０の先端と凹部４１とが衝突して音が鳴り、キャップ３２０が適切に装着されたことが作業者に伝わる。また、凸部４０を凹部４１側へ押圧するばね１０の弾性力は、凸部４０と凹部４１との嵌合を解除する際に抵抗力としてはたらくため、この抵抗力の有無によって、キャップ３２０が適切に装着されているか否かを判別することもできる。従って、このような嵌合機構を分岐ポートに設けることにより、装着状態に関するフィードバックが作業者に伝わり、キャップ装着時の人為ミスが未然に防止される。
【産業上の利用可能性】
【００４３】
本発明に係る分岐ポートは、とくに、高い清浄度が要求される透析システムに用いられるサンプリング装置のサンプリングポートとして好適なものである。
【符号の説明】
【００４４】
１  分岐ポート
２  ハウジング
３  流体流入路
４  流体流出路
５  主流路
６  分岐流路
７  開口端部
８  分岐部
９  バイパス路
１０  ばね
１１  開閉弁
１２  主流路側端部
１３  環状流路
１４  弁体
１５  ばね
１６  弁体受け
１７  押し棒
１８  光学的センサ
２０  キャップ
２１  空間
２２  Ｏリング
２３  ピン
３０  シリンジ
４０  凸部
４１  凹部
１００  分岐ポート
１０１  絞り部
１０２  分岐部
２００  分岐ポート
２０１  絞り部
２０２  分岐部
３００  分岐ポート
３０２  ハウジング
３２０  キャップ
３２４  環状部
【図１】
2013061876.tif 000003
【図２】
2013061876.tif 000004
【図３】
2013061876.tif 000005
【図４】
2013061876.tif 000006
【図５】
2013061876.tif 000007
【国際調査報告】
2013061876.tif 000008
2013061876.tif 000009
2013061876.tif 000010
2013061876.tif 000011